(57)【特許請求の範囲】
【請求項１】
動画の映像信号及び静止画の映像信号を記録可能な映像記録再生装置において、当該映像記録再生装置の動作の指示を入力する入力手段と、前記動画の記録時における保持形態と前記静止画の記録時における保持形態とを変化させる保持形態変化機構と、前記映像記録再生装置の保持形態が前記動画の記録時における保持形態及び前記静止画の記録時における保持形態のいずれの形態であるかを検出する検出手段と、前記検出手段による検出結果に応じて前記入力手段の機能を制御する制御手段とを備えることを特徴とする映像記録再生装置。
【請求項２】
前記入力手段は、前記動画の映像信号又は前記静止画の映像信号の記録を開始する指示を入力する記録開始キーであることを特徴とする請求項１に記載の映像記録再生装置。
【請求項３】
前記記録開始キーは２段階のストロークを有し、前記制御手段は、前記検出手段により前記映像記録再生装置の保持形態が前記動画の記録時における保持形態であることが検出された場合に、前記記録開始キーの最初のストロークが動画記録開始を指示し且つ次のストロークが静止画記録開始を指示するように前記記録開始キーの機能を制御し、前記検出手段により前記映像記録再生装置の保持形態が前記静止画の記録時における保持形態であることが検出された場合に、前記記録開始キーの最初のストロークが静止画記録開始を指示し且つ次のストロークが動画記録開始を指示するように前記記録開始キーの機能を制御することを特徴とする請求項２に記載の映像記録再生装置。
【発明の詳細な説明】
【０００１】
【発明の属する技術分野】
本発明は、動画の映像信号及び静止画の映像信号を記録可能な映像記録再生装置に関する。
【０００２】
【従来の技術】
近年、カメラ一体型ビデオカメラの分野では、画質の向上や画像の劣化を防止するために、また、様々なデータを画像とともに記録再生するために、デジタルフォーマットのビデオカメラが急速に普及してきている。一方、昨今のコンピュータの急激な普及は予想をはるかに上回るものがあり、その画像入力装置としてコンピュータと相性の良いデジタルスチルカメラ、いわゆるコンピュータカメラが注目されている。
【０００３】
画像取り込み直後からすべてデジタルで映像を処理するデジタルビデオカメラは、デジタル処理により静止画も動画の一部として取り扱うことができ、また、インターフェースの発達により、カメラから簡単に画像をコンピュータに取り込むことができるといった理由で、コンピュータカメラとしての利用価値が高まっている。
【０００４】
このような背景から、現在発表されているデジタルビデオカメラは、本来持つ動画撮影機能に加え、静止画も取り込めるような形態になっている。図１１（ａ）及び図１１（ｂ）は、このような従来のデジタルビデオカメラの一例を示す外観斜視図である。同図に示す如く、従来のデジタルビデオカメラは、動画撮影のためのトリガボタンと、静止画撮影のためのトリガボタン（シャッターボタン）とが設けられている。
【０００５】
また、特に家庭用ビデオテープレコーダに代表される民生用の映像記録再生装置は、数フレームを単位として静止画の記録再生を行うという手法が提案されている。
【０００６】
【発明が解決しようとする課題】
しかしながら、従来の静止画撮影機能付ビデオカメラにおいては、図１１に示すように、動画撮影用のトリガボタンが設けられている位置と静止画撮影用のシャッターボタンが設けられている位置とが異なり、しかも同じ保持形態で動画・静止画の撮影を強いられるので、とっさの場合、操作者の意図しない撮影を行ってしまう可能性がある。また、いずれか一方のボタンを最も操作しやすい場所へ位置させた場合は、もう一方のボタンが必ずしも操作し易い場所に位置するとは限らず、快適な記録開始操作を、静止画撮影時と動画撮影時とで両立させることは困難であるという問題点があった。
【０００７】
また、記録開始のためのトリガボタンに限らず、動画及び静止画の撮影を一つの装置で実現するために動画を撮影するための操作部と静止画を撮影するための操作部とをそれぞれ設ける方法はすでに提案されているが、このように構成することは装置の小型化の妨げとなっている。一方、モードスイッチを設け、撮影モードを動画モード及び静止画モードのいずれか一方に切り換えるように構成することで、操作部を共通にするという手法もあるが、この場合は、操作者が常に撮影モードを意識しなければならず、撮影に集中することができない。更に、動画の撮影中に一時的に静止画の撮影を行うことも従来の装置では操作が煩雑であるという問題点があった。
【０００８】
本発明は、上記問題点を解決するためになされたもので、最適な撮影保持状態を保ちつつ、１つのトリガボタンで動画及び静止画の両画像の撮影を行うことができる映像記録再生装置を提供することを目的とする。
【００１０】
【課題を解決するための手段】
上記第１の目的を達成するために、請求項１の映像記録再生装置は、動画の映像信号及び静止画の映像信号を記録可能な映像記録再生装置において、当該映像記録再生装置の動作の指示を入力する入力手段と、前記動画の記録時における保持形態と前記静止画の記録時における保持形態とを変化させる保持形態変化機構と、前記映像記録再生装置の保持形態が前記動画の記録時における保持形態及び前記静止画の記録時における保持形態のいずれの形態であるかを検出する検出手段と、前記検出手段による検出結果に応じて前記入力手段の機能を制御する制御手段とを備えることを特徴とする。
【００１１】
請求項２の映像記録再生装置は、上記請求項１の映像記録再生装置において、前記入力手段は、前記動画の映像信号又は前記静止画の映像信号の記録を開始する指示を入力する記録開始キーであることを特徴とする。
【００１２】
請求項３の映像記録再生装置は、上記請求項２の映像記録再生装置において、前記記録開始キーは２段階のストロークを有し、前記制御手段は、前記検出手段により前記映像記録再生装置の保持形態が前記動画の記録時における保持形態であることが検出された場合に、前記記録開始キーの最初のストロークが動画記録開始を指示し且つ次のストロークが静止画記録開始を指示するように前記記録開始キーの機能を制御し、前記検出手段により前記映像記録再生装置の保持形態が前記静止画の記録時における保持形態であることが検出された場合に、前記記録開始キーの最初のストロークが静止画記録開始を指示し、且つ次のストロークが動画記録開始を指示するように前記記録開始キーの機能を制御することを特徴とする。
【００１６】
【発明の実施の形態】
以下、本発明の実施の形態を、図面を参照して説明する。
【００１７】
（第１の実施の形態）
まず最初に、本発明の第１の実施の形態について、図１〜図８を参照して説明する。
【００１８】
図１は、本実施の形態にかかる映像記録再生装置としてのビデオカメラの構成を示すブロック図である。同図において、２００はビデオカメラ本体である。本体２００には、ビューファインダー２０２と、ズーム比調整スイッチ２０４及び撮影開始トリガボタン２０６を有する回転グリップ２０８とが備えられている。回転グリップ２０８は、グリップ回転軸２１０を軸として矢印Ａの方向へ回転することにより、本体２００に対する相対的な位置を変化させることが可能である。撮影開始トリガボタン２０６は、静止画撮影時はシャッターボタンとして機能する。
【００１９】
図２は、図１に示したビデオカメラの保持形態を検出する検出回路の構成を示す電気回路図である。同図に示すように、ビデオカメラは装置全体を総括的に制御する制御部２１８を有している。グリップ回転軸２１０の外側には、回転グリップ保持形態検出スイッチ２１２が設けられている。２１４は動画撮影検出信号出力端子であり、２１６は静止画撮影検出信号出力端子である。動画撮影検出信号出力端子２１４及び静止画撮影検出信号出力端子２１６は、それぞれ制御部２１８に接続されている。制御部２１８には、動画撮影検出信号出力端子２１４からの信号、静止画撮影検出信号出力端子２１６からの信号、及び撮影開始トリガボタン２０６を操作者が押下することにより出力されるキー入力信号が入力される。
【００２０】
図３は、動画撮影時のビデオカメラの保持形態の一例を示す説明図であり、図４は、ビデオカメラが図３に示した状態にあるときの検出回路の構成を示す電気回路図である。
【００２１】
図３に示すように、動画撮影時は、五指が垂直に回転グリップ２０８をつかみ、撮影開始トリガボタン２０６は親指で、ズーム比調整スイッチ２０４は人差し指で操作される。この状態は、従来の動画ビデオ撮影と全く同じであり、違和感のない形態である。このときの検出回路は、回転グリップ保持形態検出スイッチ２１２が図４に示す位置となり、動画撮影検出信号出力端子２１４の電圧値は所定の電圧Ｖａとなり、静止画撮影検出信号出力端子２１６の電圧値は０Ｖとなる。
【００２２】
制御部２１８は、動画撮影検出信号出力端子２１４及び静止画撮影検出信号出力端子２１６の出力信号を受けると、撮影開始トリガボタン２０６の機能を、最初のストロークが動画記録開始、次のストロークが静止画記録開始のトリガとなるように制御する。
【００２３】
図５は、静止画撮影時のビデオカメラの保持形態の一例を示す説明図であり、図６は、ビデオカメラが図５に示した状態にあるときの検出回路の構成を示す電気回路図である。
【００２４】
図５に示すように、静止画撮影時の回転グリップ２０８は本体２００に対して垂直となるように回転された位置におかれ、五指は本体２００に水平になるように回転グリップ２０８をつかみ、撮影開始トリガボタン（シャッターボタン）２０６は人差し指で、ズーム比調整スイッチ２０４は中指で操作される。これは、従来のスチルカメラに多用されている保持形態で、静止画撮影としては違和感のない形態である。このときの検出回路は、回転グリップ保持形態検出スイッチ２１２が図６示す位置となり、静止画撮影検出信号出力端子２１６の電圧値は所定の電圧Ｖｂとなり、動画撮影検出信号出力端子２１４の電圧値は０Ｖとなる。
【００２５】
制御部２１８は、動画撮影検出信号出力端子２１４及び静止画撮影検出信号出力端子２１６の出力信号を受けると、撮影開始トリガボタン２０６の機能を、最初のストロークが静止画記録開始、次のストロークが動画記録開始のトリガとなるように制御する。
【００２６】
図７は、制御部２１８の制御手順を示すフローチャートである。
【００２７】
撮影検出信号として動画撮影検出信号出力端子２１４及び静止画撮影検出信号出力端子２１６の出力信号Ｖａ、Ｖｂを受けると（ステップＳ１０）、これらの信号Ｖａ、Ｖｂを比較することにより現在の撮影モードが動画撮影モードであるか否かを判定する（ステップＳ２０）。
【００２８】
ステップＳ２０において現在の撮影モードが動画撮影モードであると判定された場合、すなわち、検出回路が上記図４に示した状態にあり、動画撮影検出信号出力端子２１４から所定電圧Ｖａの信号が出力され、静止画撮影検出信号出力端子２１６から０Ｖの信号が出力されている場合は、ステップＳ３０の制御へ移行する。
【００２９】
ステップＳ３０では、撮影開始トリガボタン２０６からのキー入力を、具体的には撮影開始トリガボタン２０６の押圧に比例した電圧信号Ｖｋを受け取り、その電圧値Ｖｋが閾値ＶTH1 より大きいか否かを判別し（ステップＳ４０）その答が肯定（ＹＥＳ）の場合は電圧値Ｖｋが閾値ＶTH2 より小さいか否かを判別する（ステップＳ５０）。Ｖｋ≦ＶTH1 である場合すなわちステップＳ４０の答は否定（ＮＯ）の場合は、撮影開始トリガボタン２０６は押下されないものとみなして現状を維持する（ステップＳ６０）。
【００３０】
また、ＶTH1 ＜Ｖｋ＜ＶTH2 である場合すなわちステップＳ４０が肯定（ＹＥＳ）且つステップＳ５０が肯定（ＹＥＳ）の場合は、撮影開始トリガボタン２０６が軽く押下された状態すなわち最初のストロークであるから、このストロークは動画撮影開始動作であると認識し、動画撮影を開始する（ステップＳ７０）。
【００３１】
また、Ｖｋ≧ＶTH2 である場合すなわちステップＳ４０が肯定（ＹＥＳ）かつステップＳ５０が否定（ＮＯ）の場合は、撮影開始トリガボタン２０６が強く押下された状態すなわち次のストロークであるから、このストロークは静止画撮影開始動作であると認識し、静止画撮影を開始する（ステップＳ８０）。
【００３２】
一方、ステップＳ２０において現在の撮影モードが動画撮影モードではないと判定された場合、すなわち、検出回路が上記図６に示した状態にあり、動画撮影検出信号出力端子２１４から０Ｖの信号が出力され、静止画撮影検出信号出力端子２１６から所定電圧Ｖｂの信号が出力されている場合は、ステップＳ９０の制御へ移行する。
【００３３】
ステップＳ９０では、撮影開始トリガボタン２０６からのキー入力を、具体的には撮影開始トリガボタン２０６の押圧に比例した電圧信号Ｖｋを受け取り、その電圧値Ｖｋが閾値ＶTH1 より大きいか否か（ステップＳ１００）及び電圧値Ｖｋが閾値ＶTH2 より小さいか否か（ステップＳ１１０）を判別する。Ｖｋ≦ＶTH1 である場合すなわちステップＳ１００の答が否定（ＮＯ）の場合は、撮影開始トリガボタン２０６は押下されないものとみなして現状を維持する（ステップＳ６０）。
【００３４】
また、ＶTH1 ＜Ｖｋ＜ＶTH2 である場合すなわちステップＳ１００が肯定（ＹＥＳ）且つステップＳ１１０が肯定（ＹＥＳ）の場合は、撮影開始トリガボタン２０６が軽く押下された状態すなわち最初のストロークであるから、このストロークは静止画撮影開始動作であると認識し、静止画撮影を開始する（ステップＳ１２０）。
【００３５】
また、Ｖｋ≧ＶTH2 である場合すなわちステップＳ１００が肯定（ＹＥＳ）且つステップＳ１１０が否定（ＮＯ）の場合は、撮影開始トリガボタン２０６が強く押下された状態すなわち次のストロークであるから、このストロークは動画撮影開始動作であると認識し、動画撮影を開始する（ステップＳ１３０）。
【００３６】
このような、撮影開始トリガボタン２０６の押圧に比例した電圧信号は、圧力素子等を用いれば簡単に構成することができる。なお、１つのキーで動画撮影開始のトリガボタンの機能と、静止画撮影開始のシャッターボタンの機能とを兼用させるというアイデアは、本願出願人によりすでに出願されている（特開平４−３６９９７６号公報）。
【００３７】
このように、本実施の形態によれば、静止画撮影時には静止画撮影に適した保持形態があり、動画撮影時には動画撮影に適した保持形態があるという発想のもと、回転グリップ２０８を採用し、そのときの最適な撮影保持状態を保つようにするとともに、撮影モードに応じてトリガボタン２０６の機能を変化させることにより、１つのボタンで快適な動画・静止画撮影を両立することができる。また、１つのキーに２つのストロークを持たせるという簡単な構成で、動画撮影あるいは静止画撮影中に反対モードの撮影を行うことが可能となる。
【００３８】
なお、上記第１の実施の形態では、通常タイプのビデオカメラを採用したが、これに限られるものではなく、図８に示すような液晶タイプのビデオカメラに対しても同様の機能を持たせることが可能である。
【００３９】
また、第１の実施の形態では回転グリップ２０８保持形態検出スイッチ２１２を単純な機械的スイッチとして構成していたが、例えば、光学的、磁気的な位置センサを採用してもよいことがいうまでもない。
【００４０】
（第２の実施の形態）
次に、本発明の第２の実施の形態について図９及び図１０を参照して説明する。
【００４１】
図９は、本実施の形態にかかる映像記録再生装置の構成を示すブロック図である。
【００４２】
同図において、１は装置本体である。本体１は、カメラ部２と、レコーダ部３と、ビューファインダ部４と、操作部２０と、カメラ部２に接続されて該カメラ部２を制御するカメラ制御部３０と、レコーダ部３に接続されて該レコーダ部３を制御するレコーダ制御部４０と、カメラ制御部３０、レコーダ制御部４０及び操作部２０に接続されて各制御部を総括的に制御するシステム制御部１０とから主に構成されている。操作部２０は、停止ボタン２１、再生ボタン２２、記録ボタン２３、静止画ボタン２４、一時停止・解除ボタン２５、早送りボタン２６、巻戻しボタン２７、カセット取り出しボタン２８、及び単独・複数切替スイッチ２９等の操作ボタンを有している。
【００４３】
システム制御部１０は、操作者により押下される操作ボタンに応じて操作部２０から出力される信号に基づいて、カメラ制御部３０及びレコーダ制御部４０に対して指令信号を出力することにより、装置全体の動作を制御する。
【００４４】
レコーダ制御部４０は、記録媒体としての磁気テープが格納されているカセットがレコーダ部３に装着されたときに動画又は静止画の記録・再生を行うものであり、システム制御部１０からの指令信号によりレコーダ部３全体の動作を制御する。システム制御部１０から出力される指令信号には、停止指令、再生指令、動画記録指令、静止画記録指令、記録一時停止指令、早送り指令、巻き戻し指令、カセット取り出し指令等がある。
【００４５】
カメラ制御部３０は、システム制御部１０からの指令信号によりカメラ部２全体の動作を制御する。システム制御部１０から出力される指令信号には、静止画指令及び解除指令がある。
【００４６】
上記構成において、単独・複数切替スイッチ２９が単独側に位置する場合の装置の動作について説明する。
【００４７】
記録することが可能なカセットがレコーダ部３に装着されると、レコーダ制御部４０は、システム制御部１０に対して、カセットが装着されたことを示すカセット装着信号を送る。システム制御部１０は、レコーダ制御部４０からのカセット装着信号を受けるとレコーダ制御部４０に対して、記録一時停止指令を送る。レコーダ制御部４０は、システム制御部１０から記録一時停止指令を受けると、レコーダ部３を記録一時停止状態に制御する。カメラ部２は、レコーダ部３に対して通常の映像信号を送る。レコーダ部３は、カメラ部２からの映像信号をビューファインダ４に送る。
【００４８】
操作部２０は、操作者により一時停止・解除ボタン２５が押下されると、システム制御部１０に対して一時停止・解除ボタン２５が押下されたことを示す信号を送る。システム制御部１０は、操作部２０から前記信号を受けると、レコーダ部４０に対して動画記録指令を送る。レコーダ制御部４０は、システム制御部１０から動画記録指令を受けると、レコーダ部３を録画状態に制御する。カメラ部２はレコーダ部３に通常の映像信号を送る。レコーダ部３は、カメラ部２からの映像信号をカセット内の磁気テープに記録すると共に、その映像信号をビューファインダ４に送る。
【００４９】
操作部２０は、操作者により静止画ボタン２４が押下されると、システム制御部１０に対して静止画ボタン２４が押下されたことを示す信号を送る。システム制御部１０は操作部２０から前記信号を受けると、カメラ制御部３０に静止画指令を送るとともに、レコーダ制御部４０に静止画記録指令を送る。カメラ制御部３０はシステム制御部１０から静止画指令を受けると、カメラ部２を静止画状態に制御する。カメラ部２は、レコーダ部３にフィールド間の時間差がない静止した映像信号を送る。レコーダ制御部４０はシステム制御部１０から静止画記録指令を受けると、レコーダ部３を静止画録画状態に制御する。レコーダ部３はカメラ部２からの映像信号と、静止画であることを示す信号とをカセット内の磁気テープに記録すると共に、その映像信号をビューファインダ部４に送る。
【００５０】
操作部２０は、操作者によりこれまでに押下されていた静止画ボタン２４が離されると、システム制御部１０に対して静止画ボタン２４が離されたことを示す信号を送る。システム制御部１０は、操作部２０から前記信号を受けると、カメラ制御部３０に解除指令を送る。カメラ制御部３０は、システム制御部１０から解除指令を受けると、カメラ部２を通常状態に制御する。カメラ部２は、レコーダ部３に通常の映像信号を送る。レコーダ部３はカメラ部２からの映像信号をカセット内の磁気テープに記録すると共に、その映像信号をビューファインダ部４に送る。
【００５１】
操作部２０は、操作者により一時停止・解除ボタン２５が押下されると、システム制御部１０に一時停止・解除ボタン２５が押下されたことを示す信号を送る。システム制御部１０は、操作部２０から上記信号を受けると、レコーダ制御部４０に記録一時停止信号を送る。レコーダ制御部４０はシステム制御部１０から記録一時停止指令を受けると、レコーダ部３を記録一時停止状態に制御する。カメラ部２はレコーダ部３に通常の映像信号を送る。レコーダ部３はカメラ部２からの映像信号をビューファインダー部４に送る。
【００５２】
ビューファインダ部４は、レコーダから受けた映像信号を表示する。
【００５３】
図１０（ａ）は、以上の動作により磁気テープ上に形成された記録パターンである。
【００５４】
次に、上記構成において、単独・複数切替スイッチ２９が複数側に位置する場合の装置の動作について説明する。なお、単独・複数切替スイッチ２９が複数側に位置するように操作されている場合にカセット内の磁気テープに記録される静止画は、静止画ボタン２４が押下されている間、所定時間毎に（数フレーム毎に）更新されるように構成されている。
【００５５】
記録することが可能なカセットがレコーダ部３に装着されると、レコーダ制御部４０は、システム制御部１０に対して、カセットが装着されたことを示すカセット装着信号を送る。システム制御部１０は、レコーダ制御部４０からのカセット装着信号を受けると、レコーダ制御部４０に対して記録一時停止指令を送る。レコーダ制御部４０は、システム制御部１０から記録一時停止指令を受けると、レコーダ部３を記録一時停止状態に制御する。カメラ部２は、レコーダ部３に対して通常の映像信号を送る。レコーダ部３は、カメラ部２からの映像信号をビューファインダ４に送る。
【００５６】
操作部２０は、操作者により一時停止・解除ボタン２５が押下されると、システム制御部１０に対して一時停止・解除ボタン２５が押下されたことを示す信号を送る。システム制御部１０は、操作部２０から前記信号を受けると、レコーダ部４０に対して動画記録指令を送る。レコーダ制御部４０は、システム制御部１０から動画記録指令を受けると、レコーダ部３を録画状態に制御する。カメラ部２はレコーダ部３に通常の映像信号を送る。レコーダ部３は、カメラ部２からの映像信号をカセット内の磁気テープに記録すると共に、その映像信号をビューファインダ部４に送る。
【００５７】
操作部２０は、操作者により静止画ボタン２４が押下されると、システム制御部１０に対して静止画ボタン２４が押下されていることを示す信号を送る。システム制御部１０は操作部２０から前記信号を受けると、カメラ制御部３０に静止画指令を送り、その後所定数のフレームに対応する時間が経過すると解除指令を送るという動作を繰り返す。更に、システム制御部１０は、レコーダ制御部４０に静止画記録指令を送る。カメラ制御部３０は、システム制御部１０から静止画指令を受けると、カメラ部２を静止画状態に制御する。また、カメラ制御部３０は、システム制御部１０から解除指令を受けると、カメラ部２を通常の状態にする。カメラ部２は、レコーダ部３に対して、フィールド間の時間差がない静止した画像信号を送る。レコーダ制御部４０は、システム制御部１０から静止画記録指令を受けると、レコーダ部３を静止画録画状態にする。レコーダ部３は、カメラ部２からの映像信号と、静止画であることを示す信号とをカセット内の磁気テープに記録すると共に、その映像信号をビューファインダ部４に送る。
【００５８】
操作部２０は、操作者によりこれまでに押下されていた静止画ボタン２４が離されると、システム制御部１０に対して静止画ボタン２４が離されたことを示す信号を送る。システム制御部１０は、操作部２０から前記信号を受けると、カメラ制御部３０に解除指令を送る。カメラ制御部３０は、システム制御部１０から解除指令を受けると、カメラ部２を通常状態に制御する。カメラ部２は、レコーダ部３に通常の映像信号を送る。レコーダ部３はカメラ部２からの映像信号をカセット内の磁気テープに記録すると共に、その映像信号をビューファインダ部４に送る。
【００５９】
操作部２０は、操作者により一時停止・解除ボタン２５が押下されると、システム制御部１０に一時停止・解除ボタン２５が押下されたことを示す信号を送る。システム制御部１０は、操作部２０から上記信号を受けると、レコーダ制御部４０に記録一時停止信号を送る。レコーダ制御部４０は、システム制御部１０から記録一時停止指令を受けると、レコーダ部３を記録一時停止状態に制御する。カメラ部２はレコーダ部３に通常の映像信号を送る。レコーダ部３はカメラ部２からの映像信号をビューファインダー部４に送る。
【００６０】
ビューファインダ部４は、レコーダから受けた映像信号を表示する。
【００６１】
図１０（ｂ）は、以上の動作により磁気テープ上に形成された記録パターンである。
【００６２】
このように、本実施の形態によれば、操作部２０上に静止画ボタン２４を設けることにより、動画を記録しているときであっても、該静止画ボタン２４が押下されている間だけ一時的に静止画を記録することが可能となる。これは、操作部２０上に静止画ボタン２４のみを追加するだけで実現できるので、小型化の妨げになることはない。また、このように構成することにより、撮影モードとして動画撮影モード及び静止画撮影モードの２つのモードを設けなくてもよくなるので、操作者が常に撮影モードを意識する必要はなく、撮影に集中することができるようになる。
【００６３】
【発明の効果】
以上説明したように、請求項１の映像記録再生装置によれば、映像記録再生装置の動作の指示を入力する入力手段と、前記動画の記録時における保持形態と前記静止画の記録時における保持形態とを変化させる保持形態変化機構と、前記映像記録再生装置の保持形態が前記動画の記録時における保持形態及び前記静止画の記録時における保持形態のいずれの形態であるかを検出する検出手段と、前記検出手段による検出結果に応じて前記入力手段の機能を制御する制御手段とを備えるようにしたので、静止画撮影時には静止画撮影に適した保持形態があり、動画撮影時には動画撮影に適した保持形態があるという発想のもと、そのときの最適な撮影保持状態を保つようにすることができるとともに、保持形態に応じて入力手段の機能を変化させることにより、１つのボタンで快適な動画・静止画撮影を両立することができるという効果が得られる。
【００６４】
請求項２の映像記録再生装置によれば、前記入力手段を、前記動画の映像信号又は前記静止画の映像信号の記録を開始する指示を入力する記録開始キーとしたので、保持形態に応じて記録開始キーの機能を制御することにより、１つのボタンで快適な動画・静止画撮影を両立することができるという効果が得られる。
【００６５】
請求項３の映像記録再生装置によれば、前記記録開始キーは２段階のストロークを有し、前記制御手段は、前記検出手段により前記映像記録再生装置の保持形態が前記動画の記録時における保持形態であることが検出された場合に、前記記録開始キーの最初のストロークが動画記録開始を指示し且つ次のストロークが静止画記録開始を指示するように前記記録開始キーの機能を制御し、前記検出手段により前記映像記録再生装置の保持形態が前記静止画の記録時における保持形態であることが検出された場合に、前記記録開始キーの最初のストロークが静止画記録開始を指示し且つ次のストロークが動画記録開始を指示するように前記記録開始キーの機能を制御するようにしたので、１つのキーに２つのストロークを持たせるという簡単な構成で、動画撮影及び静止画撮影を両立することができるとともに、動画撮影中あるいは静止画撮影中に反対モードの撮影を行うことが可能となるという効果が得られる。
【図面の簡単な説明】
【図１】本発明の第１の実施の形態にかかる映像記録再生装置としてのビデオカメラの構成を示すブロック図である。
【図２】図１に示したビデオカメラの保持形態を検出する検出回路の構成を示す電気回路図である。
【図３】動画撮影時のビデオカメラの保持形態の一例を示す説明図である。
【図４】ビデオカメラが図３に示した状態にあるときの検出回路の構成を示す電気回路図である。
【図５】静止画撮影時のビデオカメラの保持形態の一例を示す説明図である。
【図６】ビデオカメラが図５に示した状態にあるときの検出回路の構成を示す電気回路図である。
【図７】制御部２１８の制御手順を示すフローチャートである。
【図８】第１の実施の形態にかかる映像記録再生装置として適用可能なビデオカメラの外観斜視図である。
【図９】本発明の第２の実施の形態にかかる映像記録再生装置の構成を示すブロック図である。
【図１０】磁気テープ上に形成された記録パターンの一例を示す図である。
【図１１】従来の映像記録再生装置の一例を示す外観斜視図である。
【符号の説明】
２０６  撮影開始トリガボタン  （入力手段）
２０８  回転グリップ  （保持形態変化機構）
２１０  グリップ回転軸  （保持形態変化機構）
２１２  回転グリップ保持形態検出スイッチ  （検出手段）
２１４  動画撮影検出信号出力端子  （検出手段）
２１６  静止画撮影検出信号出力端子  （検出手段）
２１８  制御部  （制御手段）
３      レコーダ部  （記録手段）
１０    システム制御部  （制御手段）
２４    静止画ボタン  （指示ボタン）
【図１】
0003927636.tif 000002
【図２】
0003927636.tif 000003
【図３】
0003927636.tif 000004
【図４】
0003927636.tif 000005
【図５】
0003927636.tif 000006
【図６】
0003927636.tif 000007
【図７】
0003927636.tif 000008
【図８】
0003927636.tif 000009
【図９】
0003927636.tif 000010
【図１０】
0003927636.tif 000011
【図１１】
0003927636.tif 000012